(57)【要約】【課題】スタッキング性を付与することによって、保管や搬送などにおける梱包の嵩を抑えたチューブ容器を得る。【解決手段】柔軟性のある胴部（２）を有し、胴部を押圧して内容物を注出可能とするチューブ容器（１）において、筒状の注出口（３２）と、注出口下端の周縁から外側に広がるフランジ（３１）とを有する口栓（３）と、前記フランジ周縁に融着する柔軟性のある胴部と、からなり、胴部が、錐台側面形状とすることを特徴とするチューブ容器。【選択図】図１
2020121749.tif 000002
【特許請求の範囲】
【請求項１】
柔軟性のある胴部を有し、胴部を押圧して内容物を注出可能とするチューブ容器において、
筒状の注出口と、注出口下端の周縁から外側に広がるフランジとを有する口栓と、
前記フランジ周縁に融着する柔軟性のある胴部と、からなり、
胴部が、錐台側面形状とすることを特徴とするチューブ容器。
【請求項２】
胴部の錐台側面傾斜延長面上に、注出口等が交差しない口栓であることを特徴とする請求項１に記載のチューブ容器。
【請求項３】
注出口下端に、容易に開封可能な閉鎖板を有する事を特徴とする請求項１又は２に記載のチューブ容器。
【発明の詳細な説明】
【技術分野】
【０００１】
本発明は、練り歯磨きなどの液体や、粉体、粒体、を内容物として収納し、柔軟性のある容器胴部を有し、押圧して内容物を注出する事も、固体や粒体を振り出す事もできるチューブ容器に関する。
【背景技術】
【０００２】
練り歯磨き、バター、マヨネーズ、ケチャップ、接着剤などの高粘度の液体を内容物として収納するチューブ容器は、柔軟性のある容器胴部を有し、押圧して内容物を適量、こまめに注出しやすい容器である。
このチューブ容器は、主に断面が固定した半径の円筒形状の胴部と、射出成形や圧縮成形などによって成形したネックを融着して製造され、多くの食品、非食品分野で使用されている。
異形押し出しチューブを切断してネックを融着したり、積層シートを丸めて両端を背シールして筒状の胴部を形成しそれにネックを溶着したりしたチューブ容器や、薄肉の軟質ブロー成形によるチューブ容器などからなり、多くの食品、非食品分野で使用されている。
【０００３】
ところで、このチューブ容器の胴部を成形する方法としては、主に断面が固定した半径の円筒形状の異形押し出しチューブを切断したり、積層シートを丸めて両端を背シールして筒状の胴部を形成したりして、製造されてきた。
しかしながら、このような筒状の胴部からなるチューブ容器は、スタッキング性がなく、容器の保管、搬送においても、一つ一つに仕切った箱に入れて送らなければならなかったりしたので、経費が多大に掛かる問題があった。
【０００４】
例えば、特許文献１では、
内容物を注出する注出ユニットと、前記注出ユニットに溶着され、前記内容物を収容するための胴部とから構成され、
前記注出ユニットは、前記内容物が注出される注出口部と、該注出口部から径方向の外側に張り出す肩部とを備え、
前記胴部は、フィルムの一方の側端縁の一面側が他方の側端縁の他面側に重ね合わされ、且つ重ね合わされた前記一方の側端縁と前記他方の側端縁とが溶着され、
前記胴部の軸方向の一端は、前記肩部の外周面に溶着され、
前記胴部の軸方向の他端は、内面同士が合わされて溶着されることによって閉られ、
前記注出ユニットは、少なくとも内容物と接する面が非吸着性樹脂を含む樹脂で成形され、
前記胴部を構成するフィルムが、非吸着性樹脂を含む樹脂からなる内層と、ガスバリア性物質を含むガスバリア層である中間層と、非吸着性樹脂を含む樹脂からなる外層の少なくとも３層からなることを特徴とするチューブ容器を提案している。
【０００５】
このような胴部に使用するフィルムは、長方形に裁断し、その一方の側端縁の一面側が他方の側端縁の他面側に重ね合わされるようにして製造されるので、円筒状となり、以後、それがつぶれて、注出ユニットを溶着できなくならないようにしなければならない。
さらに、内容物を充填する時にも、同様に、注出ユニットと反対側の底シール部も押し潰されないようにする必要があり、製造時だけでなく、保管でも多大に容積を取る必要があるなど、取り扱いに多大な手間や経費が掛かるなどの問題があった。
【先行技術文献】
【特許文献】
【０００６】
【特許文献１】特開２０１６−１９９２８０号公報
【発明の概要】
【発明が解決しようとする課題】
【０００７】
そこで、スタッキング性を付与することによって、保管や搬送などにおける梱包の嵩を抑えたチューブ容器を得ることが、本発明の課題である。
【課題を解決するための手段】
【０００８】
本発明のチューブ容器は、
柔軟性のある胴部を有し、胴部を押圧して内容物を注出可能とするチューブ容器において、
筒状の注出口と、注出口下端の周縁から外側に広がるフランジとを有する口栓と、
前記フランジ周縁に融着する柔軟性のある胴部と、からなり、
胴部が、錐台側面形状とすることを特徴とするチューブ容器である。
【発明の効果】
【０００９】
本発明のチューブ容器は、胴部が、錐台側面形状とすることによって、スタッキング性が得られるので、重ねて容器を収納することができる。
また、スタッキングすることによって、口栓反対側の胴部端部が確実に開口し、内容物を充填しやすい。
【図面の簡単な説明】
【００１０】
【図１】本発明の底シールをしたチューブ容器で、打栓キャップを外した状態の一部破断正面図と、その側面側から見た縦断面図と、螺合キャップを使用した場合の一部断面図である。
【図２】本発明のチューブ容器に使用する胴部の第一実施形態例で、そのブランクと、胴部斜視図と、胴部の側シール部の実施形態例を示す部分拡大断面図である。
【図３】本発明のチューブ容器に使用する胴部の第二実施形態例、第三実施形態例を示す斜視図である。
【図４】本発明のチューブ容器で、キャップを嵌合しない状態で積み重ねた状態を示す縦断面図である。
【図５】本発明のチューブ容器で、キャップを嵌合した状態で積み重ねた状態を示す縦断面図である。
【図６】本発明のチューブ容器で、閉鎖板を開封する工程を示す縦断面図である。
【図７】本発明のチューブ容器を開封し、内容物を最後まで注出した状態を示す縦断面図である。
【発明を実施するための形態】
【００１１】
以下、本発明のチューブ容器の実施形態例について、図を用いて詳細に説明する。
図１は、本発明の一例を示す底シールをしたチューブ容器１で、図１−１に打栓キャップを外した状態の一部破断正面図、図１−２に側面側から見た縦断面図、図１−３に螺合キャップを使用した場合の一部断面図を示した。
本発明のチューブ容器１は、薄肉で可撓性が高く柔軟性を有する胴部２と、胴部２の一端に融着し剛性を有する口栓３と、口栓３に螺合あるいは打栓によって嵌合するキャップと、からできている。
【００１２】
胴部２は、上端に口栓３を融着し、下端では、胴部２が押し潰されて、内面の胴部シーラント層同士が融着した底シール部２２を形成している。
この口栓３と融着する上端の周縁の長さに比べ、底シール部２２される下端の周縁長さは長く、大きな径になっている。
【００１３】
口栓３は、筒状の注出口３２と、注出口下端の周縁から外側にフラットに広がるフランジ３１とを有している。
そして、口栓３のフランジ３１上面周縁には胴部２上端が水平に折れ曲がった状態で融着している。
また、注出口３２内側には、周縁が脆弱線３３１からなる閉鎖板３３を有している。
閉鎖板３３の周縁一端に、支柱を介してプルリング３３２が繋止されている。
この脆弱線はキャビティ側から形成されているが、コア側から形成しても良い。
【００１４】
図１−３は、口栓３の注出口３２外側にネジ部３２１を有した実施形態例で、そのチューブ容器上端近傍の縦断面図である。
この図のように、注出口３２には、雌ネジを有するキャップ４１を螺合させても良い。
【００１５】
図２は、本発明のチューブ容器に使用する胴部２の第一実施形態例で、図２−１は胴部２のブランク、図２−２は胴部斜視図で、図２−３、図２−４、図２−５は胴部２の側シール部２３１の実施形態例を示す部分拡大断面図である。
【００１６】
胴部２のブランク２３は、円の２本の半径とその間にある円弧によって囲まれた扇形状の積層シート２３０からできている。図２−１の実施形態例では、扇形状の一端の半径には、他端の半径に重ね合わせる側シール部２３１を設けている。
図２−２は、上記扇形状のブランク２３を円錐台マンドレルに巻き付けて、側シール部２３１を、他端の半径に重ね合わせ、円錐台側面形状にした状態を示している。このように、扇形状のブランク２３を丸めた胴部２は、上端の周縁長さに比べ、下端の周縁長さが長いので、下側が外側に広がった形状となる。
【００１７】
図２−３に示す部分拡大断面図は、側シール部２３１を並継ぎによって形成した実施形態例で、ブランクの積層シート２３０端面が容器内部に露出してしまうのを防ぐ為に、エッジプロテクトテープ２４で端面を覆った例である。
【００１８】
図２−４に示す部分拡大断面図は、側シール部２３１を突き当てによって形成した実施形態例である。あまり厚くならないメリットがあるが、ブランクの積層シート２３０端面同士は充分な強度で融着しないので、その突き当て部近傍の内側に、エッジプロテクトテープ２４を融着して固定する。
【００１９】
図２−５に示す部分拡大断面図は、側シール部２３１を折り返し継ぎによって形成した実施形態例である。側シール部２３１の内側に来る積層シート２３０反面近傍で、折り返して、端面をエッジプロテクトした状態で、他端と融着している。
エッジプロテクトテープ２３２を使用しないが、側シール部２３１の重なりが多くて、厚くなりやすいが、シール時に充分に加熱し、かつ、充分な加圧によって、肉厚をあまり厚くならないように融着する。
【００２０】
図３は、本発明のチューブ容器１に使用する胴部２の実施形態例で、図３−１に第二実施形態例、図３−２に第三実施形態例の斜視図を示した。
図３−１は、扇形状で、その二つの半径部分に、隣接した側シール部２３１を設けた２枚のブランク２３を使用している。同じ２枚のブランク２３をシーラント面側で重ね合わし、その左右両方の側シール部２３１において、シーラント面同士を融着した実施形態例である。
積層シートの端面は外側に向いているので、エッジを内容物に接しなくさせることができる。また、胴部２を丸めないでシールできるので、高速で製造することができる。
さらに、胴部２を折り畳んだ状態で重ね合わすこともできるので、未充填時の容器搬送や
保管の体積を小さくすることができる。
【００２１】
図３−２は、扇形状で、その二つの半径部分に、隣接した側シール部２３１を設けた１枚のブランク２３を使用している。シーラント面を内側にしてブランク２３を丸め、その左右両方の側シール部２３１のシーラント面同士を重ね合わし、その側シール部同士を融着した実施形態例である。
この実施形態例も、積層シートの端面は外側に向いているので、エッジを内容物に接しなくさせることができる。
図４は、本発明のチューブ容器１で、口栓３にキャップを嵌合しない状態で積み重ねた状態を示す縦断面図である。
胴部２の外形胴部の錐台側面傾斜延長面２０上に、注出口等が交差しない口栓であって、その傾斜延長面２０の内側に口栓３が内側に収まっていれば、口栓によってスタッキング性を阻害する要因にはならず、安定したスタッキングが可能である。
部分拡大図で、垂線６１で切られる胴部２の上に重なる胴部内面位置に対し、その水平線６２で切られる胴部２の上に重なる胴部内面位置が、胴部２の厚み以上外側にあれば、スタッキングが可能であることがわかる。
この為、胴部のテーパー角度はわずかであっても、スタッキング性を得ることができる。
【００２２】
図５は、本発明のチューブ容器１で、口栓３にヒンジキャップ４を打栓し嵌合したチューブ容器１を、積み重ねた状態を示す縦断面図である。
胴部２の傾斜延長面２０の内側にキャップ４が収まっていれば、キャップによってスタッキング性を阻害する要因にはならず、安定したスタッキングが可能である。
ヒンジが直線状に左右外側に伸びて張った形状をしており、一番飛び出しやすいので、確認が必要になる。
【００２３】
図６は、本発明のチューブ容器１で、閉鎖板３３を開封する工程を示す縦断面図である。
使用される口栓３は、注出口３２の下端周縁の内側にあって、周縁を脆弱線３３１で囲まれた閉鎖板３３で閉鎖されている。
閉鎖板３３は、その脆弱線周縁内側に設けた支柱３３３を介してプルリング３３２を有したプルトップに形成されている。
閉鎖板３３周縁の脆弱線３３１は、金型で形成され、その周縁よりも極端に薄肉にするなどによって形成される。この図ではコア側の駒によって脆弱線３３１を形成した例とした。
【００２４】
図６−１は、プルリング３３２に指先を挿入して引っ掛け、支柱３３３根元の脆弱線３３１を引っ張る工程を示す図である。
支柱３３３が、閉鎖板３３の端部に設けられているので、支柱３３３近傍の脆弱線３３１に引き裂く力を集中させることができる。
まず始めに、閉鎖板３３周縁では、プルリング３３２に繋がる支柱３３３が引っ張られると、そこに繋がる支柱３３３近傍の脆弱線３３１に引き裂く力が掛かる。
【００２５】
図６−２では、プルリング３３２の引き裂く力が、支柱３３３近傍の脆弱線３３１に、局部的に掛かって引き裂かれる。すると、その引き裂かれた脆弱線３３１が、閉鎖板３３周縁に繋がっているので、そのまま、引き続き引き裂かれて行き、閉鎖板３３周縁に広がり、閉鎖板３３が外れ、開封することができる。
【００２６】
図７は、本発明のチューブ容器１を開封し、内容物５を最後まで注出した状態を示す縦断面図である。
内容物を最後まで注出すると、薄肉で可撓性が高く柔軟性を有する胴部２では、表と裏の
内面同士が密着する。この時、口栓３近傍の胴部２は、フランジ３１内面に近接する。
本発明の容器では、口栓３の内面がフラットな平面からなるフランジ３１で形成されていることから、口栓３内面に胴部２内面が完全に密着させることができる。
この為、チューブ容器１内部に残る内容物５の残量は、注出口３２内部のみとなるので、残量を非常に少なくすることができる。
胴部２は、より強く内容物を押し出す為に、フランジ３１内面に垂直な状態であっても良いが、フランジ３１内面に平行になるよう折り曲げた状態で押し付けて、確実に胴部２にある内容物を最後まで押し出すことが可能である。
【００２７】
本発明の容器に使用する胴部は、５００μｍ以下、好ましくは４００μｍから２００μｍの薄肉で軟らかな胴部とし、最内層にシーラント層を用いる。
実施形態例として、胴部は、低密度ポリエチレン、直鎖状低密度ポリエチレン、中密度ポリエチレン、などの単体の押出しチューブであってもかまわないが、内側から低密度ポリエチレン（厚み３０μｍ）／接着剤／二軸延伸ポリエチレンテレフタレート（厚み２５μｍ）／接着剤／低密度ポリエチレン（厚み６０μｍ）の総厚１１５μｍのように、非常に薄い構成であっても良い。
また、内側から低密度ポリエチレン／接着剤／エチレン・酢酸ビニル共重合体鹸化物／接着剤／低密度ポリエチレンの構成や、
低密度ポリエチレン／接着剤／二軸延伸ポリアミドフィルム／接着剤／低密度ポリエチレン、
低密度ポリエチレン／接着剤／二軸延伸ポリアミドフィルム／接着剤／低密度ポリエチレン／アルミニウム箔／低密度ポリエチレン、
また、低密度ポリエチレン／アルミニウム箔／低密度ポリエチレン／二軸延伸ポリアミドフィルム／接着剤／２軸延伸ポリエチレンテレフタレートのように、最外層に非融着性の樹脂フィルムを用いても良い。この場合、２軸延伸ポリエチレンテレフタレートや二軸延伸ポリアミドフィルムなどの厚みはできるだけ薄くすると、押出しやすいチューブ容器とすることができる。
さらに、アルミニウム箔単体の表裏に低密度ポリエチレンを貼り合わせた積層フィルムであれば、折り曲げ性が高く、加工しやすい胴部とすることができる。
胴部は以上の構成とし、これらをドライラミネーション機やエクストルーダーラミネーション機でフィルムを貼り合せて胴部用の積層フィルムとする。
このような積層フィルムは、薄くてもバリア性が高い胴部が得られ、長方形のシート形状にして、筒状に丸め、左右両端を表裏で重ね合わせて融着したラミネートチューブの胴部とする。
【００２８】
口栓は、胴部に使用するシーラント層と融着しやすい素材で、かつ、ヒンジキャップのキャップ本体に嵌合する剛性や柔軟性も有する樹脂を使用し、射出成形金型と射出成形機を使用して成形する。
スパウトの射出成形に使用する樹脂としては、低密度ポリエチレン、直鎖状低密度ポリエチレン、中密度ポリエチレン、エチレン・酢酸ビニル共重合体などが使用できる。
【００２９】
側面シール部の胴部素材の層間剥離等を防止するエッジプロテクトテープは、融着面に融着性の高い樹脂からなるフィルムで、かつ、断面が露出しても劣化しないシートを使用する。直鎖状低密度ポリエチレン単体フィルムのような単層であってもかまわない。
【００３０】
本発明の容器は、以上のようなもので、柔軟性の高いフィルムで構成される胴部の場合、口栓内面がフラットであることから、内部に内容物の残留を可能とする空間を有さず、内容物を残留させずに、注出口から絞り出すことができる。
特に、錘台側面形状の胴部とすることによって、充填作業ロスが減少すると同時に、充填前の容器をスタッキングすることが可能となった。このことによって、容器搬送時に、容
器の嵩を少なくして、効率的に、しかも容器を変形し難くい状態に維持することができ、効率的で、トータルコストを低減できるなど、本発明のメリットは大きい。
【符号の説明】
【００３１】
１・・・・・・・・チューブ容器
２・・・・・・・・胴部
２０・・・・・・・傾斜延長面
２１・・・・・・・口栓融着部
２２・・・・・・・底シール部
２３・・・・・・・ブランク
２３０・・・・・・積層シート
２３１・・・・・・側シール部
２４・・・・・・・エッジプロテクトテープ
３・・・・・・・・口栓
３１・・・・・・・フランジ
３２・・・・・・・注出口
３２１・・・・・・ネジ部
３３・・・・・・・閉鎖板
３３１・・・・・・脆弱線
３３２・・・・・・プルリング
３３３・・・・・・支柱
４・・・・・・・・キャップ
４１・・・・・・・雌ネジを有するキャップ
５・・・・・・・・内容物
６１・・・・・・・垂線
６２・・・・・・・水平線
【図１】
2020121749.tif 000003
【図２】
2020121749.tif 000004
【図３】
2020121749.tif 000005
【図４】
2020121749.tif 000006
【図５】
2020121749.tif 000007
【図６】
2020121749.tif 000008
【図７】
2020121749.tif 000009